(57)【要約】      （修正有）【課題】各種の圧力ボトルを収容して使用可能なプッシュタイプの芳香剤スプレー。【解決手段】台座１１及びスプレー孔を備えたキャップ１０、芳香液を収容した圧力ボトル２０及び圧力ボトルを固定する固定台３から構成され、キャップは台座と軸心１２の廻りに回動可能に連結され、圧力ボトルを固定した固定台を台座の内部に収納する。固定台と台座は結合部品１１１で結合され、各メーカーのボトルサイズに合わせた固定台をセットし、交換することができる。圧力ボトルは導管２１を備え、圧力ボトルから突出した箇所にノズル口を有しており、ノズル孔をキャップのスプレー孔に挿入してセットし、キャップを押圧するとキャップが軸心１２の廻り回動してノズル口を押圧し、スプレー孔から圧力ボトル内の芳香液を噴出する。【選択図】図１
0003132324.tif 000002
【実用新案登録請求の範囲】
【請求項１】
芳香液を充填した圧力ボトルを収納する容器と該圧力ボトルを固定する固定台からなり、
該容器は、中空タイプのキャップ及び中空タイプの台座から構成して、該キャップは台座と軸心によって連結されて、該軸心の廻りに回動して開閉可能とし、
該キャップは頂上にスプレー孔を設けると共に該スプレー孔に合わせてキャップ内にノズルを形成して該ノズルの内部にスプレー孔と相通じる通孔を設け、且つ該ノズルのスプレー孔と反対側に通孔に段差部を設け、
該台座の中空の内部収納空間に前記の圧力ボトル及び固定台を収納し、収納空間の底面に少なくとも一つの結合部品を設けて固定台を結合し、
該圧力ボトルは、芳香液を充填したボトル本体と、該ボトル本体から突出した導管にノズル口を備えており、
該圧力ボトル導管のノズル口を上記キャップの通孔に挿入してノズルの段差部を該ノズル口に当接してセットすることを特徴とするプッシュタイプの芳香剤スプレー。
【請求項２】
前記キャップを台座を覆う大きさとして、閉合した時に台座を覆うことを特徴とする請求項1記載のプッシュタイプの芳香剤スプレー。
【請求項３】
前記台座とキャップを連結した反対側に、台座より上方に突出した固定板を設けて、該固定板に挟圧するつまみによりキャップをロックすることを特徴とする請求項2記載のプッシュタイプの芳香剤スプレー。
【請求項４】
上記台座底部に設けた結合部品は、L字型を呈して該固定台の対応する端と結合することを特徴とする請求項1記載のプッシュタイプの芳香剤スプレー。
【請求項５】
前記結合部品は、正三角形に配置されて該固定台と結合することを特徴とする請求項1或いは請求項4記載のプッシュタイプの芳香剤スプレー。
【請求項６】
前記固定台は、上方及び前面を開放した台及びを圧力ボトルを囲むガードを備え、該圧力ボトルは該台とガードに囲まれた内部にセットされることを特徴とする請求項1或いは請求項3記載のプッシュタイプの芳香剤スプレー。
【請求項７】
前記台座の結合部品と結合する前記固定台の対応する箇所に結合孔を設けて、該結合部品と結合することを特徴とする請求項1或いは請求項4記載のプッシュタイプの芳香剤スプレー。
【請求項８】
前記台座の結合部品と結合する前記固定台の対応する箇所に結合孔を設けて、結合部品と結合することを特徴とする請求項5記載のプッシュタイプの芳香剤スプレー。
【考案の詳細な説明】
【技術分野】
【０００１】
本考案は、プッシュタイプの芳香剤スプレーの構造に関し、特に芳香液を入れた圧力ボトルを収納する容器を指し、キャップをプッシュすると芳香液を噴出するプッシュタイプの芳香剤スプレーの構造に関する。
【背景技術】
【０００２】
生活が豊かになるのに連れて環境クォリティのレベルアップにも気を配るようになる。密閉された空間の中で、取り除けない異臭があれば、芳香剤などを使い、異臭を消す必要がある。
【０００３】
プッシュタイプの芳香剤スプレーは、操作が簡単且つ室内空間の異臭を取り除く効果のある製品であり、この類の従来技術の商品は、通常予め芳香液を充填した圧力ボトルを容器に入れ、該容器のキャップを通じて圧力ボトルを押すことで、芳香液はボトル内の圧力によって外部に噴射し、空気中の異臭を覆い、或いは取り除く。
【０００４】
従来技術のプッシュタイプの芳香剤スプレー構造は簡単なものであり、製造者はスプレーの役割を果たすことだけで良しとしていたため、経費の大半をこれら圧力ボトルを収納する容器の外観に費やして、様々なデザインを作り出すことに集中していた。内部の構造に思考を凝らさず、多くは容器を成型する際に、容器の内部体積は該圧力ボトルの体積のみを残している。よって、該容器内のスペースは、特定のサイズの圧力ボトルしか設置できず、他のメーカーとの互換性がなく、同メーカーの商品を消費者に押し付けることになるため、上述の技術を改善する必要があった。
【特許文献１】特開２００２−２２４５９４号公報
【特許文献２】特開平２−１６００６８号公報
【考案の開示】
【考案が解決しようとする課題】
【０００５】
前記公知構造の欠点を解決するために、本考案は全てのメーカーの圧力ボトルが収納でき、各社の規格サイズの制限を受けない、プッシュタイプの芳香剤スプレーの構造を提供することにある。
【課題を解決するための手段】
【０００６】
前記課題を解決するために、本考案はスプレー孔を具有するキャップと台座と芳香液を入れた圧力ボトルと、圧力ボトルを固定する固定台から構成している。該キャップは軸心を介して台座と連結され、キャップは該軸心の廻りに回転して開閉できる状態にする。台座内部に収納空間を具有し、圧力ボトル及び固定台を収納する。該固定台と台座は結合部品を介して固定し、各メーカーのボトルのサイズに合わせた固定台のサイズを任意にセットしたり交換したりできる。該圧力ボトルに導管を突出して備え、該導管が圧力ボトルより突出した端にノズル口を具有する。外力により該導管を押すと、ボトル内が加圧されてノズル口より芳香液を噴出する。
【考案の効果】
【０００７】
本考案は、中空の容器及び取替え可能の固定台の設置によって、全メーカーの詰め替え圧力ボトルを使用することができるため、消費者は好みの容器を購入しても、該メーカーの販売する芳香剤の匂いに対する好みを気にする必要がなく、異なるメーカーの圧力ボトルを購入してセットすることもでき、不必要な消費が押さえられる。該固定台の製造コストは容器よりも安く、経済的な効果も得られる。
【考案を実施するための最良の形態】
【０００８】
図1〜図3に示すのは、本考案のプッシュタイプの芳香剤スプレーの構造である。容器1の中に芳香液を充填した圧力ボトル2を収納し、該圧力ボトル2を固定する固定台3を具有する。
【０００９】
該容器は、中空タイプのキャップ10及び中空タイプの台座11を備え、該キャップ10は台座11と軸心12で連結され、且つキャップ10を台座11を覆う大きさとして、キャップ10が軸心１２の廻りに回動して開閉可能とする。閉合したキャップ10は台座11を覆う形となる。
【００１０】
該キャップの頂上にスプレー孔101を設け、該スプレー孔101に対応する位置の、キャップ10の内部にノズル102を設け、該ノズル102の内部にスプレー孔101と相通じる通孔103を設ける。該スプレー孔101のノズル102の他端側の通孔103と接合する場所に段差部104を設ける。
【００１１】
該台座11の内部に収納空間を備え、前記の圧力ボトル2及び固定台3を収納する。図1のように、収納空間110の底面に少なくとも一つのL字型の結合部品111を設けて該固定台3を結合する。結合部品111が固定台3としっかりと結合するには、図1に示すように、3つの結合部品を正三角形の形に配置すれば固定台3がぐらつかない。また、台座11と前記キャップ10と結合する結合箇所の反対側に、台座11よりやや突出した固定板112を設け、該固定板112につまみ4を挟んで取り付ける。
【００１２】
該圧力ボトル2は、芳香液を充填したボトル本体20及び、該ボトル本体20中より導管21が突出して、その導管21の端部にノズル口211を設ける。
【００１３】
該固定台3は、上方及び前面を開放した台30及び圧力ボトル2を囲むガード31を備え、該圧力ボトル2は該台30とガード31によって囲まれて設置される。また、固定台3と対応する台座11の結合部品111の箇所に結合孔32を設け、該結合部品111と結合する。
【００１４】
組み立てるときは、まずキャップ10を開き、圧力ボトル2のボトル本体20を固定台3に収納し、該固定台3を結合部品111により台座11に固定する。圧力ボトル2の導管21のノズル口211を前述のキャップ10の通孔103に差し込み、ノズル102の段差部104により、該ノズル口211を当接する。更に図3に示すように、つまみ4を台座11の固定板112に差し込み、該つまみ4によりキャップ10を閉鎖位置にロックする。使用する際は、図4に示すように、つまみ4を抜き出せば、キャップ10は軸心１２の廻りに回動可能となって、図5に示すように、キャップ10を押圧すると、キャップ10の段差部104が圧力ボトル2の導管21を押圧して圧力ボトル2内の芳香液を噴出する。
【００１５】
以上の実施例による本考案の詳細な説明は本考案の範囲を制限するものではない。本考案の構想に基づく各種の変化や修正、応用及び形を変更するなど、同じ効果が生まれる場合は、全て本考案の権利範囲とする。
【図面の簡単な説明】
【００１６】
【図１】本考案の分解図である。
【図２】本考案の組立外観図である。
【図３】断面図を用いて、本考案の各部品の組立図を表示した図である。
【図４】本考案の使用動作時に摘みを抜き出した状態図である。
【図５】本考案の使用動作状態図である。
【符号の説明】
【００１７】
1容器
10  キャップ
101スプレー孔
102ノズル
103通孔
104段差部
11台座
110収納空間
111結合部品
112固定板
2圧力ボトル
20ボトル本体
21導管
211ノズルの口
3固定台
30台
31ガード
32結合孔
4つまみ
【図１】
0003132324.tif 000003
【図２】
0003132324.tif 000004
【図３】
0003132324.tif 000005
【図４】
0003132324.tif 000006
【図５】
0003132324.tif 000007